(57)【要約】【課題】空気清浄機において互いに接近して且つ互いに対向して配置される複数のフィルタについて取り付け時にフィルタ同士が擦れるのを防止する。【解決手段】第１フィルタであるＨＥＰＡフィルタ２５は、第１据付位置Ｐ１に設置された状態において空気流れ方向と交差する第１面である上面２５ａを有する。第２フィルタは、第１据付位置Ｐ１に対して空気流れ方向に並ぶ第２据付位置Ｐ２に取り付けられてＨＥＰＡフィルタ２５の近傍に配置され、上面２５ａに対向する第２面を有する。ガイド構造は例えばガイド溝１０１を有している。このようなガイド構造は、第２フィルタを取り付ける際に、上面２５ａと第２面とが実質的に平行になるように支持しつつ第２面に対して傾斜した経路に沿って第２据付位置に第２フィルタを移動させる。【選択図】図１５
2019025431.tif 000002
【特許請求の範囲】
【請求項１】
第１据付位置に設置された状態において空気流れ方向と交差する第１面を有する第１フィルタ（２５）と、
前記第１据付位置に対して空気流れ方向に並ぶ第２据付位置に取り付けられて前記第１フィルタの近傍に配置され、前記第１面に対向する第２面を有する第２フィルタ（２６）と、
前記第２フィルタを取り付ける際に、前記第１面と前記第２面とが実質的に平行になるように前記第２フィルタを支持しつつ前記第２面に対して傾斜した経路に沿って前記第２据付位置に前記第２フィルタを移動させるガイド構造（４５，１０１）と
を備える、空気清浄機。
【請求項２】
前記ガイド構造は、前記第１面及び前記第２面に対して傾斜したガイド溝（１０１）を有する、
請求項１に記載の空気清浄機。
【請求項３】
前記ガイド構造は、前記ガイド溝に嵌る凸部（４５）をさらに有し、前記凸部が前記ガイド溝に沿ってスライドしつつ前記第２据付位置に近づくことによって、前記第１面と前記第２面とが実質的に平行になるように支持しつつ前記経路に沿って前記第２据付位置に前記第２フィルタを移動させるように構成されている、
請求項２に記載の空気清浄機。
【請求項４】
前記第２フィルタが前記第２据付位置に取り付けられた状態で、空気清浄運転中の空気流れによる前記第１フィルタの変動を抑える枠体（４１１）をさらに備える、
請求項１から３のいずれか一項に記載の空気清浄機。
【請求項５】
前記第２フィルタは、前記第１フィルタに対して、下から上に流れる空気流れの下流に位置する、
請求項４に記載の空気清浄機。
【請求項６】
前記枠体は、前記第２フィルタの周囲を囲み、前記ガイド構造によって導かれることにより前記第２フィルタを導き、前記第２据付位置に前記第２フィルタが取り付けられた状態で前記第１フィルタの周囲の前記ガイド構造に沿う部分を押さえるように構成されている、
請求項５に記載の空気清浄機。
【請求項７】
前記第２フィルタが前記第２据付位置に取り付けられたときに前記枠体に押し上げられて空気清浄運転の可能な状態に切り替え、前記第２フィルタが前記第２据付位置から取り外されたときに下がって空気清浄運転のできない電気的に安全な状態に切り替えるスイッチシステム（１２０）をさらに備える、
請求項４から６のいずれか一項に記載の空気清浄機。
【発明の詳細な説明】
【技術分野】
【０００１】
本発明は、空気清浄機、特に複数のフィルタを備える空気清浄機に関する。
【背景技術】
【０００２】
従来から、室内の空気を清浄化するために、複数のフィルタを重ねて配置する空気清浄機が知られている。例えば、特許文献１（特許５８４２９６２号公報）には、下方から室内空気を吸い込んで上方から清浄な空気を吹き出すために、空気流れの方向に集塵フィルタと脱臭フィルタが重ねて配置されている空気清浄機が開示されている。このような室内に設置される空気清浄機に対しては小型化の要求があり、複数のフィルタが互いに接近して配置される。
【発明の概要】
【発明が解決しようとする課題】
【０００３】
しかしながら、特許文献１に記載されているように、複数のフィルタを近接し且つ対向して配置する場合には、フィルタを取り付ける際にフィルタ同士が互いに擦れて、フィルタが破れたり、フィルタの形状が崩れて圧損が増加したりするという問題が生じる。
【０００４】
本発明の課題は、空気清浄機において互いに近接して且つ互いに対向して配置される複数のフィルタについてフィルタを取り付ける場合にフィルタ同士が擦れるのを防止することである。
【課題を解決するための手段】
【０００５】
本発明の第１観点に係る空気清浄機は、第１据付位置に設置された状態において空気流れ方向と交差する第１面を有する第１フィルタと、第１据付位置に対して空気流れ方向に並ぶ第２据付位置に取り付けられて第１フィルタの近傍に配置され、第１面に対向する第２面を有する第２フィルタと、第２フィルタを取り付ける際に、第１面と第２面とが実質的に平行になるように第２フィルタを支持しつつ第２面に対して傾斜した経路に沿って第２据付位置に第２フィルタを移動させるガイド構造とを備える。
【０００６】
第１観点に係る空気清浄機によれば、ガイド構造によって第１面と第２面とが実質的に平行になるように第２フィルタが支持されつつ第２面に対して傾斜した経路に沿って第２据付位置に移動させられて第２フィルタが取り付けられることから、第1面と第2面との空気流れ方向の距離が段々と近づくように第２フィルタを取り付け、第２フィルタが第２据付位置に到達する寸前まで互いに平行な第１面と第２面との間には互いに接触しないように隙間が形成される。
【０００７】
本発明の第２観点に係る空気清浄機は、第１観点に係る空気清浄機において、ガイド構造は、第１面及び第２面に対して傾斜したガイド溝を有する、ものである。
【０００８】
第２観点に係る空気清浄機によれば、第１面及び第２面に対して傾斜しているガイド溝をガイド構造が有すればよいことから、ガイド溝を設けるという簡単な構造の変更でガイド構造を実現することができる。
【０００９】
本発明の第３観点に係る空気清浄機は、第２観点に係る空気清浄機において、ガイド構造は、ガイド溝に嵌る凸部をさらに有し、凸部がガイド溝に沿ってスライドしつつ第２据付位置に近づくことによって、第１面と第２面とが実質的に平行になるように第２フィルタを支持しつつ経路に沿って第２据付位置に第２フィルタを移動させるように構成されている、ものである。
【００１０】
第３観点に係る空気清浄機によれば、凸部をガイド構造が有し、凸部がガイド溝に沿ってスライドしつつ第２据付位置に近づくことによって、第１面と第２面とが実質的に平行になるように第２フィルタを支持しつつ第２面に対して傾斜した経路に沿って第２据付位置に移動させるように構成されればよいことから、凸部を設けるという簡単な構造の変更でガイド構造を実現できる。
【００１１】
本発明の第４観点に係る空気清浄機は、第１観点から第３観点のいずれかに係る空気清浄機において、第２フィルタが第２据付位置に取り付けられた状態で、空気清浄運転中の空気流れによる第１フィルタの変動を抑える枠体をさらに備える、ものである。
【００１２】
第４観点に係る空気清浄機によれば、第２フィルタが第２据付位置に取り付けられた場合に、空気清浄運転中の空気流れによる第１フィルタの変動を枠体が抑えることから、空気清浄運転中に第１フィルタが空気流によって浮き上がる現象などを抑制することができる。
【００１３】
本発明の第５観点に係る空気清浄機は、第４観点に係る空気清浄機において、第２フィルタは、第１フィルタに対して、下から上に流れる空気流れの下流に位置する、ものである。
【００１４】
第５観点に係る空気清浄機によれば、下から上に流れる空気流れの上流に第１フィルタが位置して下流に第２フィルタが位置することから、第１フィルタを下から支持して上から枠体で第１フィルタを押さえることで第１フィルタを固定できる。
【００１５】
本発明の第６観点に係る空気清浄機は、第５観点に係る空気清浄機において、  枠体は、第２フィルタの周囲を囲み、ガイド構造によって導かれることにより第２フィルタを導き、第２据付位置に第２フィルタが取り付けられた状態で第１フィルタの周囲のガイド構造に沿う部分を押さえるように構成されている、ものである。
【００１６】
第６観点に係る空気清浄機によれば、第２据付位置に第２フィルタが取り付けられた状態で枠体が第１フィルタの周囲のガイド構造に沿う部分を押さえるように構成されていることから、第２フィルタがガイド構造に導かれているときに枠体が第１フィルタの周囲以外の部分と擦れるのを防止することができる。
【００１７】
本発明の第７観点に係る空気清浄機は、第４観点から第６観点のいずれかに係る空気清浄機において、第２フィルタが第２据付位置に取り付けられたときに枠体に押し上げられて空気清浄運転の可能な状態に切り替え、第２フィルタが第２据付位置から取り外されたときに下がって空気清浄運転のできない電気的に安全な状態に切り替えるスイッチシステムをさらに備える、ものである。
【００１８】
第７観点に係る空気清浄機によれば、第２フィルタを取り付ける際に、第１面と第２面の距離が変わるにもかかわらず、第２フィルタが取り付けられたときに枠体に確実に押し上げられて空気清浄運転の可能な状態に切り替え、第２フィルタが取り外されたときに確実に下がって空気清浄運転のできない電気的に安全な状態に切り替えるスイッチシステムを用いることから、簡単な構造で安全性を向上させるシステムを実現できる。
【発明の効果】
【００１９】
本発明の第１観点に係る空気清浄機では、互いに接近して且つ互いに対向して配置される第１フィルタと第２フィルタとが取り付けられるときに擦れるのを防止することができる。
【００２０】
本発明の第２観点または第３観点に係る空気清浄機では、ガイド構造を設けることによるコストの上昇を抑制することができる。
【００２１】
本発明の第４観点に係る空気清浄機では、第１フィルタの変動により発生する騒音を減らすことができる。
【００２２】
本発明の第５観点に係る空気清浄機では、第１フィルタの固定機構が簡素化されて第１フィルタの固定が容易になり、第１フィルタの取り付け取り外しが簡単になる。
【００２３】
本発明の第６観点に係る空気清浄機では、枠体で第２フィルタを確実に支持しながら第１フィルタの損傷を抑制することができる。
【００２４】
本発明の第７観点に係る空気清浄機では、安全性を確実且つ安価に向上させることができる。
【図面の簡単な説明】
【００２５】
【図１】実施形態に係る空気清浄機の外観を示す斜視図。
【図２】実施形態に係る空気清浄機の側面図。
【図３】図１の空気清浄機の上部をＹＺ平面で切断した場合の断面構造を示す一部破断拡大斜視図。
【図４】図１の空気清浄機の上部をＹＺ平面で切断した場合の拡大断面図。
【図５】シロッコファンと下部フレームとＨＥＰＡフィルタの周辺の構造を説明するための模式的な斜視図。
【図６】樹脂ケース組立体の斜視図。
【図７】樹脂ケース組立体を空気清浄機の前面側から見た場合の側面図。
【図８】樹脂ケースの平面図。
【図９】図８のＩ-Ｉ線に沿って切断した樹脂ケースの断面図。
【図１０】樹脂ケース組立体への脱臭フィルタの取付方法を説明するための断面図。
【図１１】樹脂ケース組立体の分解斜視図。
【図１２】樹脂ケース組立体の部分拡大斜視図。
【図１３】樹脂ケース組立体が抜き取られた空気清浄機の上部の斜視図。
【図１４】樹脂ケース組立体が抜き取られた空気清浄機の上部の斜視図。
【図１５】図１３の空気清浄機の上部をＹＺ平面で切断した場合の拡大断面図。
【図１６】上部フレームの分解斜視図。
【図１７】イオナイザーが取り外された上部フレームの断面図。
【図１８】下部フレームを説明するための斜視図。
【図１９】図１８のＩＩ-ＩＩ線に沿って切断した下部フレームの断面図。
【図２０】下部フレームへのスイッチシステムの組付けを示す分解斜視図。
【図２１】スイッチシステムが取り付けられた下部フレームの部分拡大斜視図。
【図２２】レバーの断面図。
【図２３】レバーの部分拡大背面図。
【発明を実施するための形態】
【００２６】
（１）全体構成
以下、本発明の実施形態に係る空気清浄機について図を用いて説明する。図１などの以下に説明する図においては、前後方向がＸ軸方向、左右方向がＹ軸方向、上下方向がＺ軸方向に一致するように描かれている。
【００２７】
図１には、前方左斜めから見た空気清浄機１０の外観が示されている。図２には、側面から見た空気清浄機１０の外観が示されている。空気清浄機１０は前面パネル１１、側面パネル１２、天面パネル１３、背面パネル１４、吸込グリル１５及び吹出グリル１６を備えている。吸込口２１は、格子を並べた吸込グリル１５によって通気可能に覆われている。側面パネル１２には、吸込グリル１５、樹脂ケース組立体４０及び上部フレーム６０が嵌め込まれている。吹出グリル１６は、天面パネル１３に取り付けられている。吹出口２２は、格子を並べた吹出グリル１６によって通気可能に覆われている。吹出口２２から吹き出される気流は、矢印Ａｒに示されているように、空気清浄機１０の真上の方向（Ｚ軸方向）に向って流れる。
【００２８】
図３には、ＹＺ平面で切断した空気清浄機１０の上部を斜め上方から見た状態が示されている。図４には、ＹＺ平面で切断した空気清浄機１０の上部の断面構造が示されている。また、図５には、空気清浄機の底部に配置されているシロッコファン９０及びその上方に配置されている下部フレーム７０及びＨＥＰＡフィルタ２５が示されている。
【００２９】
空気清浄機１０は、ＨＥＰＡフィルタ２５と脱臭フィルタ２６とシロッコファン９０とを備えている。図３、図４及び図５に示されているＨＥＰＡフィルタ２５の位置が第１据付位置Ｐ１であり、図３及び図４に示されている脱臭フィルタ２６の位置が第２据付位置Ｐ２である。シロッコファン９０から吹き出される空気流れ方向がＺ軸方向に沿っているので、ＨＥＰＡフィルタ２５が有する上面２５ａは、第１据付位置Ｐ１に設置された状態において空気流れ方向と交差する。そして、脱臭フィルタ２６は、第１据付位置Ｐ１に対して空気流れ方向に並ぶ第２据付位置Ｐ２に取り付けられてＨＥＰＡフィルタ２５の近傍に配置されている。この脱臭フィルタ２６は、ＨＥＰＡフィルタ２５の上面２５ａに対向する下面２５ｂを有している。
【００３０】
（２）詳細構成
（２−１）樹脂ケース組立体
図６には、樹脂ケース組立体４０を、空気清浄機１０の前面側の斜め上方から見た状態が示されている。図７には、樹脂ケース組立体４０を前面側から見た状態が示されている。樹脂ケース組立体４０は、樹脂ケース４１と、カバー４２と、スイッチ２３とを有している。
【００３１】
図８には、樹脂ケース４１を上方から見た状態が示されている。図９には、樹脂ケース４１を図８のＩ−Ｉ線に沿って切断したときの断面構造が示されている。樹脂ケース４１は、上方から見て四角い枠体４１１と、枠体４１１に囲まれた空間の一部を覆う保護部４１２とを有している。脱臭フィルタ２６は、上方から見て矩形の形状を呈する。枠体４１１は、この矩形状の脱臭フィルタ２６の周囲を覆い、脱臭フィルタ２６を支持する。図１０には、樹脂ケース組立体４０に脱臭フィルタ２６が嵌め込まれる方法が示されている。脱臭フィルタ２６は、固定溝４１３に嵌め込まれ、爪４１４に引っ掛けて固定される。カバー４２の近くに配置された爪４１４にはバネ性を有しており、爪４１４によって固定溝４１３の方に脱臭フィルタ２６が圧されているため脱臭フィルタ２６は動かないように固定される。
【００３２】
図１１には、樹脂ケース組立体４０を分解して斜め上方から見た状態が示されている。図１２には、樹脂ケース組立体４０のスイッチ２３の周辺が拡大して示されている。カバー４２は、樹脂ケース組立体４０が空気清浄機１０に取り付けられた状態で、側面パネル１２と面一になるように樹脂ケース４１に固定される。スイッチ４３は、Ｘ軸方向に配置された支持穴４２１を支点として回動可能に支持されている。スイッチ４３は、バネ４３１によって付勢されており、その付勢力によって支持穴４２１よりも下の部分がカバー４２の方に迫り出して上辺４３２が突出するようになっている。この上辺４３２が上部フレーム６０の側面部６１の下辺６１１（図１７参照）に引っ掛かることで、樹脂ケース組立体４０が空気清浄機１０に固定される。スイッチ４３を外から押すと、スイッチ４３の支持穴４２１よりも下の部分がカバー４２から離れるようにスイッチ４３が回転して、下辺６１１へのスイッチ４３の引っ掛かりが解放される。スイッチ４３の下辺６１１への引っ掛かりが無くなることで、樹脂ケース組立体４０を空気清浄機１０の外に引き出すことができるようになる。
【００３３】
樹脂ケース組立体４０の樹脂ケース４１には、Ｙ軸方向に長く延びるリブ４５が形成されている。樹脂ケース組立体４０が引き出されたり、取り付けられたりする際には、リブ４５が後述するガイド溝１０１（図１３及び図１４参照）の中を滑る。
【００３４】
（２−２）上部フレーム及び下部フレーム
図１３には、樹脂ケース組立体４０を取り外した空気清浄機１０の上部を左後方から見た状態が示されている。図１４には、樹脂ケース組立体４０を取り外した空気清浄機１０の上部を左前方から見た状態が示されている。図１５には、樹脂ケース組立体４０を取り外した空気清浄機１０をＹＺ平面で切断したときの断面構造が示されている。
【００３５】
前面パネル１１、側面パネル１２、天面パネル１３、背面パネル１４、吸込グリル１５及び吹出グリル１６などに囲まれた空気清浄機１０の内部には、上部フレーム６０と下部フレーム７０が取り付けられている。ただし、上部フレーム６０の一部は、側面に露出している。
【００３６】
図１６には、イオナイザー６９を取り付けている上部フレーム６０を前方右斜め上から見た状態が示されている。図１７には、イオナイザー６９を取り外した上部フレーム６０の断面形状が示されている。図１８には、下部フレーム７０を、前左斜め上方から見た状態が示されている。図１９には、図１８のＩＩ-ＩＩ線に沿って切断した下部フレーム７０の断面形状が示されている。
【００３７】
下部フレーム７０には、底面７６に、シロッコファン９０から送風されてくる空気が通過する開口部７６ａが設けられている。この開口部７６ａから上方に離れて段差７７が形成されている。空気清浄機１０がＸＹ平面に平行な床におかれている場合、この段差７７は、ＸＹ平面に平行に環状に形成されており、ＨＥＰＡフィルタ２５を支えられる上面を持っている。ＨＥＰＡフィルタ２５は、段差７７の上面に載置された状態で、樹脂ケース組立体４０の枠体４１１から下に突出した枠体下リブ４１５により押さえられる。
【００３８】
上部フレーム６０と下部フレーム７０とによってガイド溝１０１が形成されている。ガイド溝１０１を１つの成形体の中に造り込むこともできる。しかし、上部フレーム６０と下部フレーム７０の二つの部材によってガイド溝１０１を形成する方が製造やメンテナンスが容易になり小型化し易くなる。
【００３９】
上部フレーム６０の側方突出リブ６２の下面が下部フレーム７０の上方突出リブ７１の上面に接触する。上部フレーム６０の側方突出リブ６２から下方に突出する下方突出片６３が上方突出リブ７１の外側に嵌り込む。そして、上方突出リブ７１の内側の凹部（図示せず）に凸部７２が嵌り込んで上部フレーム６０と下部フレーム７０とを固定する。また、上方突出リブ７１の外側から上に突出している上方突出片７３が側方突出リブ６２の外側に当たる。そして、上方突出片７３の凹部７４に、側方突出リブ６２からさらに外側に突出して凸部６４が嵌りこんで上部フレーム６０と下部フレーム７０とを固定する。このように上部フレーム６０と下部フレーム７０が固定されると、下部フレーム７０の側部上面７５を滑面とするガイド溝１０１が形成される。この滑面である側部上面７５の上を樹脂ケース組立体４０のリブ４５が滑る。
【００４０】
（２−３）レバー
図２０には、下部フレーム７０にレバー８０などが取り付けられている状態が示されている。図２１には、下部フレーム７０にＨＥＰＡフィルタ２５及びレバー８０が取り付けられた状態が示されている。図２２には、レバー８０をＹＺ平面で切断したときの断面が示されている。図２３には、レバー８０の一部が拡大して示されている。
【００４１】
レバー８０は、座金一体タッピングネジ８１によって上下方向（Ｚ軸方向）に移動できるように、下部フレーム７０に取り付けられている。下部フレーム７０に取り付けられた状態で、レバー８０は、バネ８２によって下方に付勢されている。レバー８０の横に並べて、リミットスイッチ８３がネジ８４により下部フレーム７０に取り付けられている。リミットスイッチ８３には、ヒンジ部８３ａが設けられており、このヒンジ部８３ａがレバー８０によって押されることで空気清浄機１０が空気清浄運転のできる状態になる。逆に、レバー８０がヒンジ部８３ａを押す距離が短くなると、リミットスイッチ８３がオフして、空気清浄機１０の状態が空気清浄運転のできない電気的に安全な状態に切り換わる。リミットスイッチ８３のオンとオフの切換えの信号は、ハーネス８５を通じて空気清浄機１０のコントローラ（図示せず）に送信される。
【００４２】
また、このレバー８０の動作を補助するために、ガイド板１１０が下部フレーム７０に取り付けられている。このガイド板１１０の上面を樹脂ケース４１が滑るように構成されている。このガイド板１１０から樹脂ケース４１の上端までの距離が一定であるので、レバー８０の動作の確実性が確保される。
【００４３】
（２−４）ガイド構造
既に説明したガイド溝１０１と樹脂ケース組立体４０のリブ４５がガイド構造を構成している。ガイド構造は、脱臭フィルタ２６を取り付ける際に、ＨＥＰＡフィルタ２５の上面２５ａと脱臭フィルタ２６の下面２６ｂとが実質的に平行になるように支持しつつ下面２６ｂに対して傾斜した経路に沿って第２据付位置Ｐ２に脱臭フィルタ２６を移動させる。ここで実質的に平行とは、製造誤差などによって実際には平行からずれを生じざるを得ないので、製造誤差程度には平行からずれる範囲を含む意味で実質的と記載している。
【００４４】
ＨＥＰＡフィルタ２５は、第１据付位置Ｐ１に在る場合、ＸＹ平面に平行な段差７７に下面２５ｂが載置される。このＨＥＰＡフィルタ２５は、上面２５ａと下面２５ｂが実質的に平行になるように形成されている。従って、下部フレーム７０に載置されて第１据付位置Ｐ１に在るＨＥＰＡフィルタ２５の上面２５ａは、ＸＹ平面に対して実質的に平行になっている。
【００４５】
また、脱臭フィルタ２６も、樹脂ケース組立体４０に取り付けられて第２据付位置Ｐ２に在る場合、ＸＹ平面に対して実質的に平行になっている。この点について説明すると、まず、ガイド溝１０１は、図１９に示されているように、後から前に向って高くなっており、そのガイド溝１０１の側部上面７５がＹ軸となす角がθ１度である。また、脱臭フィルタ２６が樹脂ケース４１に取り付けられて脱臭フィルタ２６の下面２６ｂがＸＹ平面に対して平行に樹脂ケース４１で支持されている場合、図７に示されているように、樹脂ケース４１のリブ４５がＹ軸となす角もθ１度である。つまり、Ｙ軸方向において、脱臭フィルタ２６の下面２６ｂとリブ４５のなす角がθ１度となっている。
【００４６】
従って、ガイド溝１０１に樹脂ケース４１のリブ４５が嵌め込まれた状態では、ガイド溝１０１の傾きとリブ４５の傾きが相殺される。その結果、樹脂ケース４１が後に向って移動しても脱臭フィルタ２６の下面２６ｂがＸＹ平面に対して平行な状態つまりＨＥＰＡフィルタ２５の上面２５ａに対して平行な状態を維持でき、樹脂ケース４１が後に向って移動するに従って脱臭フィルタ２６の下面２６ｂとＨＥＰＡフィルタ２５の上面２５ａとの距離が次第に短くなっていく。
【００４７】
（２−５）スイッチシステム１２０
図２０に示したスイッチシステム１２０には、レバー８０と座金一体タッピングネジ８１とバネ８２とリミットスイッチ８３とガイド板１１０が含まれている。すなわち、脱臭フィルタ２６が第２据付位置Ｐ２に取り付けられたときに、脱臭フィルタ２６を支持する枠体４１１にレバー８０が押し上げられてリミットスイッチ８３が空気清浄運転の可能な状態に切り替わり、脱臭フィルタ２６が第２据付位置Ｐ２から取り外されたときにレバー８０が下がることによってリミットスイッチ８３が切り替わって空気清浄運転のできない電気的に安全な状態になる。
【００４８】
特に、スイッチシステムの検知精度に関連するレバー８０は、図２２に示されているように断面形状がΓ型になっている。つまり、レバー８０は、座金一体タッピングネジ８１によって摺動可能に下部フレーム７０に取り付けられてＺ軸方向に延びる基部８０ａと、Ｙ軸方向に延びる頭部８０ｂとを有している。頭部８０ｂは、基部８０ａから離れるほど上方に曲がっている下面８０ｂａを持っており、第２据付位置Ｐ２に近づくほど下に移動する樹脂ケース４１の枠体４１１を確実に捕捉することができる。また、脱臭フィルタ２６が第２据付位置Ｐ２に取り付けられた場合に、レバー８０が十分上方に持ち上がられるように、ガイド板１１０が枠体４１１の下方を支持する。さらに、リミットスイッチ８３のオンオフ動作を確実に行わせるために、リミットスイッチ８３のヒンジ部８３ａが接触するレバー８０の側部８０ａｂがくびれている（図２３参照）。側部８０ａｂのくびれ８６は、急激に曲がった箇所８６ａとそれに対して緩やかに曲がった箇所８６ｂを持っている。急激に曲がった箇所８６ａはレバー８０の短い上下動を検知しやすく機能を有しており、緩やかに曲がった箇所８６ｂは、ヒンジ部８３ａの移動を継続させてスイッチ動作の確実性を向上させる機能を有している。
【００４９】
また、樹脂ケース組立体４０のスイッチ４３もスイッチシステム１２０に含まれるとみなすこともできる。樹脂ケース組立体４０が確実に押し込まれたときにスイッチ４３が樹脂ケース組立体４０の移動を規制して保持するので、脱臭フィルタ２６が第２据付位置Ｐ２を確実に維持するのに役立っている。
【００５０】
（３）変形例
（３−１）変形例１Ａ
上記実施形態では、樹脂ケース組立体４０に凸部であるリブ４５を設け、空気清浄機１０の内部にガイド溝１０１を設ける場合について説明したが、樹脂ケース組立体４０にガイド溝を設け、空気清浄機の内部にリブなどの凸部を設けてもよい。
【００５１】
（３−２）変形例１Ｂ
上記実施形態では、ガイド構造の凸部としてリブ４５を設ける場合について説明したが、凸部はリブ以外のものであってもよく、例えば棒状の突起、車輪、及びネジの頭などの溝に嵌る物であれば他の形態であってもよい。
【００５２】
（３−３）変形例１Ｃ
上記実施形態では、ガイド構造の凸部を案内する構造としてガイド溝１０１を例示したが、凸部を案内する構造はガイド溝以外の構造であってもよく、例えばレール、突起群及びリブであってもよい。
【００５３】
（３−４）変形例１Ｄ
上記実施形態では、ガイド溝１０１が直線であって案内する経路が直線である場合について説明したが、案内する経路は曲線であってもよい。
【００５４】
（３−５）変形例１Ｅ
上記実施形態では、脱臭フィルタ２６を取り付ける際に、樹脂ケース組立体４０を差し込んでから取り付け終わるまで上面２５ａと下面２６ｂが実質的に平行である状態を最初から最後まで保っているが、このように最初から最後まで平行状態を保つ必要はなく、途中までは平行でない状態になってもよい。
【００５５】
（４）特徴
（４−１）
図３及び図４に示された第２フィルタである脱臭フィルタ２６の下面２６ｂ（第２フィルタの第２面の例）と、第１据付位置Ｐ１に在る第１フィルタであるＨＥＰＡフィルタ２５の上面２５ａ（第１フィルタの第１面の例）が実質的に平行になるように、ガイド構造によって支持されている。このガイド構造は、ガイド溝１０１と樹脂ケース組立体４０のリブ４５を有して構成されている。
【００５６】
ＺＹ平面に実質的に平行な段差７７で支持され、ＨＥＰＡフィルタ２５の上面２５ａが下面２５ｂに実質的に平行であるので、ＨＥＰＡフィルタ２５の下面２５ｂはＸＹ平面に対して実質的に平行になる。他方、脱臭フィルタ２６の下面２６ｂは、Ｙ軸方向においてリブ４５に対してθ１度だけ傾いている。しかしながら、ガイド溝１０１もＹ軸に対してθ１度傾いているので、脱臭フィルタ２６の下面２６ｂもＸＹ平面に実質的に平行に支持される。従って、上面２５ａと下面２６ｂが実質的に平行になる。ガイド溝１０１もリブ４５もＹ軸に対してθ１度傾いていることから、Ｙ軸に沿う方向の延びるガイド溝１０１とリブ４５で脱臭フィルタ２６をＹ軸に沿って案内すると、下面２６ｂに対してθ１度傾斜した経路に沿って第２据付位置Ｐ２に脱臭フィルタ２６を移動させることができる。その結果、ＨＥＰＡフィルタ２５の上面２５ａと脱臭フィルタ２６の下面２６ｂとの空気流れ方向の距離が段々と近づくように脱臭フィルタ２６を取り付けることができるので、脱臭フィルタ２６が第２据付位置Ｐ２に到達する寸前まで互いに平行な上面２５ａと下面２６ｂとの間には互いに接触しないように隙間が形成され、互いに接近して且つ互いに対向して配置されるＨＥＰＡフィルタ２５と脱臭フィルタ２６とが取り付けられるときに擦れるのを防止することができる。また、ＨＥＰＡフィルタ２５または脱臭フィルタ２６に凹凸があって万一多少擦れたとしても、ＨＥＰＡフィルタ２５の上面２５ａと脱臭フィルタ２６の下面２６ｂとの空気流れ方向の距離が段々と近づくので損傷を抑えることができる。
【００５７】
（４−２）
上記実施形態では、ＨＥＰＡフィルタ２５の上面２５ａ及び脱臭フィルタ２６の下面２６ｂに対して傾斜しているガイド溝１０１を設けるという簡単な構造の変更でガイド構造を実現することができている。その結果、ガイド構造を設けることによるコストの上昇を抑制することができている。なお、ガイド溝１０１がＨＥＰＡフィルタ２５の上面２５ａ及び脱臭フィルタ２６の下面２６ｂに対して傾斜していればよいので、例えば、ガイド溝１０１をＹ軸に実質的に平行に設けて、上面２５ａと下面２６ｂをＹ軸に対して傾けるように構成してもよい。
【００５８】
（４−３）
上記実施形態では、凸部であるリブ４５をガイド構造が有し、リブ４５がガイド溝１０１に沿ってスライドしつつ第２据付位置Ｐ２に近づくことによって、上面２５ａと下面２６ｂとが実質的に平行になるように脱臭フィルタ２６を支持しつつ下面２６ｂに対して傾斜した経路に沿って第２据付位置Ｐ２に移動させるように構成されている。このように、リブ４５を設けるという簡単な構造の変更でガイド構造を実現できており、ガイド構造を設けることによるコストの上昇を抑制することができる。
【００５９】
（４−４）
上記実施形態では、脱臭フィルタ２６が第２据付位置Ｐ２に取り付けられた場合に、空気清浄運転中の空気流れによるＨＥＰＡフィルタ２５の変動を樹脂ケース４１の枠体４１１が抑えることから、空気清浄運転中にＨＥＰＡフィルタ２５が空気流によって浮き上がる現象などを抑制することができる。その結果、ＨＥＰＡフィルタ２５の変動により発生する騒音を減らすことができる。特に、枠体４１１がＨＥＰＡフィルタ２５の周囲を押さえるので、空気抵抗の増加を抑制することができている。
【００６０】
（４−５）
下から上に流れる空気流れの上流にＨＥＰＡフィルタ２５が位置して下流に脱臭フィルタ２６が位置することから、ＨＥＰＡフィルタ２５を段差７７で下から支持して上から枠体４１１でＨＥＰＡフィルタ２５を押さえることでＨＥＰＡフィルタ２５を固定できる。その結果、ＨＥＰＡフィルタ２５の固定機構が簡素化されてＨＥＰＡフィルタの固定が容易になり、ＨＥＰＡフィルタ２５の取り付け取り外しが簡単になる。具体的には、樹脂ケース組立体４０を引き出して、図１３乃至図１５に示されている状態にすると、樹脂ケース組立体４０が抜けたことでできた開口部からＨＥＰＡフィルタ２５を出し入れできる。
【００６１】
（４−６）
第２据付位置Ｐ２に脱臭フィルタ２６が取り付けられた状態で枠体４１１がＨＥＰＡフィルタ２５の周囲のガイド構造に沿う部分を枠体下リブ４１５で押さえるように構成されていることから、脱臭フィルタ２６がガイド構造に導かれているときに枠体４１１がＨＥＰＡフィルタ２５の周囲以外の部分と擦れるのを防止することができる。従って、上記実施形態では、枠体４１１で脱臭フィルタ２６を確実に支持しながらＨＥＰＡフィルタ２５の損傷を抑制することができている。
【００６２】
（４−７）
脱臭フィルタ２６を取り付ける際に、ＨＥＰＡフィルタ２５の上面２５ａと脱臭フィルタ２６の下面２６ｂの距離が変わるにもかかわらず、スイッチシステム１２０が、脱臭フィルタ２６が取り付けられたときに枠体４１１に押し上げられて空気清浄運転の可能な状態に切り替え、脱臭フィルタ２６が取り外されたときに下がって空気清浄運転のできない電気的に安全な状態に切り替えることができる。その結果、空気清浄機１０の安全性を向上させるシステムを簡単な構造で実現でき、空気清浄機１０の安全性を確実且つ安価に向上させることができる。
【符号の説明】
【００６３】
１０  空気清浄機
２５  ＨＥＰＡフィルタ  （第１フィルタの例）
２６  脱臭フィルタ  （第２フィルタの例）
４０  樹脂ケース組立体
４１  樹脂ケース
４５  リブ  （ガイド構造の例）
８０  レバー
８１  座金一体タッピングネジ
８２  バネ
８３  リミットスイッチ
１０１  ガイド溝  （ガイド構造の例）
１１０  ガイド板
１２０  スイッチシステム
４１１  枠体
【先行技術文献】
【特許文献】
【００６４】
【特許文献１】特許５８４２９６２号公報
【図１】
2019025431.tif 000003
【図２】
2019025431.tif 000004
【図３】
2019025431.tif 000005
【図４】
2019025431.tif 000006
【図５】
2019025431.tif 000007
【図６】
2019025431.tif 000008
【図７】
2019025431.tif 000009
【図８】
2019025431.tif 000010
【図９】
2019025431.tif 000011
【図１０】
2019025431.tif 000012
【図１１】
2019025431.tif 000013
【図１２】
2019025431.tif 000014
【図１３】
2019025431.tif 000015
【図１４】
2019025431.tif 000016
【図１５】
2019025431.tif 000017
【図１６】
2019025431.tif 000018
【図１７】
2019025431.tif 000019
【図１８】
2019025431.tif 000020
【図１９】
2019025431.tif 000021
【図２０】
2019025431.tif 000022
【図２１】
2019025431.tif 000023
【図２２】
2019025431.tif 000024
【図２３】
2019025431.tif 000025
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
第１据付位置に設置された状態において空気流れ方向と交差する第１面を有する第１フィルタ（２５）と、
前記第１据付位置に対して空気流れ方向に並ぶ第２据付位置に取り付けられて前記第１フィルタの近傍に配置され、前記第１面に対向する第２面を有する第２フィルタ（２６）と、
前記第２フィルタを取り付ける際に、前記第１面と前記第２面とが実質的に平行になるように前記第２フィルタを支持しつつ前記第２面に対して傾斜した経路に沿って前記第２据付位置に前記第２フィルタを移動させるガイド構造（４５，１０１）と、
前記第２フィルタが前記第２据付位置に取り付けられた状態で、空気清浄運転中の空気流れによる前記第１フィルタの変動を抑える枠体（４１１）と、
を備え、
前記ガイド構造は、前記第１面及び前記第２面に対して傾斜したガイド溝（１０１）及び、前記ガイド溝に嵌る凸部（４５）を有し、前記凸部が前記ガイド溝に沿ってスライドしつつ前記第２据付位置に近づくことによって、前記第１面と前記第２面とが実質的に平行になるように支持しつつ前記経路に沿って前記第２据付位置に前記第２フィルタを移動させるように構成され、
前記第２フィルタが前記第２据付位置に取り付けられたときに前記枠体に押し上げられて空気清浄運転の可能な状態に切り替え、前記第２フィルタが前記第２据付位置から取り外されたときに下がって空気清浄運転のできない電気的に安全な状態に切り替えるスイッチシステム（１２０）をさらに備える、空気清浄機。
【請求項２】
前記第２フィルタは、前記第１フィルタに対して、下から上に流れる空気流れの下流に位置する、
請求項１に記載の空気清浄機。
【請求項３】
前記枠体は、前記第２フィルタの周囲を囲み、前記ガイド構造によって導かれることにより前記第２フィルタを導き、前記第２据付位置に前記第２フィルタが取り付けられた状態で前記第１フィルタの周囲の前記ガイド構造に沿う部分を押さえるように構成されている、
請求項２に記載の空気清浄機。
【請求項４】
第１据付位置に設置された状態において空気流れ方向と交差する第１面を有する第１フィルタ（２５）と、
前記第１据付位置に対して空気流れ方向に並ぶ第２据付位置に取り付けられて前記第１フィルタの近傍に配置され、前記第１面に対向する第２面を有する第２フィルタ（２６）と、
前記第２フィルタを取り付ける際に、前記第１面と前記第２面とが実質的に平行になるように前記第２フィルタを支持しつつ前記第２面に対して傾斜した経路に沿って前記第２据付位置に前記第２フィルタを移動させるガイド構造（４５，１０１）と、
前記第２フィルタが前記第２据付位置に取り付けられた状態で、空気清浄運転中の空気流れによる前記第１フィルタの変動を抑える枠体（４１１）と、
を備え、
前記ガイド構造は、前記第１面及び前記第２面に対して傾斜したガイド溝（１０１）及び、前記ガイド溝に嵌る凸部（４５）を有し、前記凸部が前記ガイド溝に沿ってスライドしつつ前記第２据付位置に近づくことによって、前記第１面と前記第２面とが実質的に平行になるように支持しつつ前記経路に沿って前記第２据付位置に前記第２フィルタを移動させるように構成され、
前記第２フィルタは、前記第１フィルタに対して、下から上に流れる空気流れの下流に位置し、
前記枠体は、前記第２フィルタの周囲を囲み、前記ガイド構造によって導かれることにより前記第２フィルタを導き、前記第２据付位置に前記第２フィルタが取り付けられた状態で前記第１フィルタの周囲の前記ガイド構造に沿う部分を押さえるように構成されている、空気清浄機。
【手続補正２】
【補正対象書類名】明細書
【補正対象項目名】全文
【補正方法】変更
【補正の内容】
【発明の詳細な説明】
【技術分野】
【０００１】
本発明は、空気清浄機、特に複数のフィルタを備える空気清浄機に関する。
【背景技術】
【０００２】
従来から、室内の空気を清浄化するために、複数のフィルタを重ねて配置する空気清浄機が知られている。例えば、特許文献１（特許５８４２９６２号公報）には、下方から室内空気を吸い込んで上方から清浄な空気を吹き出すために、空気流れの方向に集塵フィルタと脱臭フィルタが重ねて配置されている空気清浄機が開示されている。このような室内に設置される空気清浄機に対しては小型化の要求があり、複数のフィルタが互いに接近して配置される。
【発明の概要】
【発明が解決しようとする課題】
【０００３】
しかしながら、特許文献１に記載されているように、複数のフィルタを近接し且つ対向して配置する場合には、フィルタを取り付ける際にフィルタ同士が互いに擦れて、フィルタが破れたり、フィルタの形状が崩れて圧損が増加したりするという問題が生じる。
【０００４】
本発明の課題は、空気清浄機において互いに近接して且つ互いに対向して配置される複数のフィルタについてフィルタを取り付ける場合にフィルタ同士が擦れるのを防止することである。
【課題を解決するための手段】
【０００５】
本発明の第１観点または第４観点に係る空気清浄機は、第１据付位置に設置された状態において空気流れ方向と交差する第１面を有する第１フィルタと、第１据付位置に対して空気流れ方向に並ぶ第２据付位置に取り付けられて第１フィルタの近傍に配置され、第１面に対向する第２面を有する第２フィルタと、第２フィルタを取り付ける際に、第１面と第２面とが実質的に平行になるように第２フィルタを支持しつつ第２面に対して傾斜した経路に沿って第２据付位置に第２フィルタを移動させるガイド構造とを備える。
【０００６】
第１観点または第４観点に係る空気清浄機によれば、ガイド構造によって第１面と第２面とが実質的に平行になるように第２フィルタが支持されつつ第２面に対して傾斜した経路に沿って第２据付位置に移動させられて第２フィルタが取り付けられることから、第1面と第2面との空気流れ方向の距離が段々と近づくように第２フィルタを取り付け、第２フィルタが第２据付位置に到達する寸前まで互いに平行な第１面と第２面との間には互いに接触しないように隙間が形成される。
【０００７】
また、本発明の第１観点または第４観点に係る空気清浄機は、ガイド構造は、第１面及び第２面に対して傾斜したガイド溝を有する、ものである。
【０００８】
第１観点または第４観点に係る空気清浄機によれば、第１面及び第２面に対して傾斜しているガイド溝をガイド構造が有すればよいことから、ガイド溝を設けるという簡単な構造の変更でガイド構造を実現することができる。
【０００９】
また、本発明の第１観点または第４観点に係る空気清浄機は、ガイド構造は、ガイド溝に嵌る凸部をさらに有し、凸部がガイド溝に沿ってスライドしつつ第２据付位置に近づくことによって、第１面と第２面とが実質的に平行になるように第２フィルタを支持しつつ経路に沿って第２据付位置に第２フィルタを移動させるように構成されている、ものである。
【００１０】
第１観点または第４観点に係る空気清浄機によれば、凸部をガイド構造が有し、凸部がガイド溝に沿ってスライドしつつ第２据付位置に近づくことによって、第１面と第２面とが実質的に平行になるように第２フィルタを支持しつつ第２面に対して傾斜した経路に沿って第２据付位置に移動させるように構成されればよいことから、凸部を設けるという簡単な構造の変更でガイド構造を実現できる。
【００１１】
本発明の第１観点または第４観点に係る空気清浄機は、第２フィルタが第２据付位置に取り付けられた状態で、空気清浄運転中の空気流れによる第１フィルタの変動を抑える枠体をさらに備える、ものである。
【００１２】
第１観点または第４観点に係る空気清浄機によれば、第２フィルタが第２据付位置に取り付けられた場合に、空気清浄運転中の空気流れによる第１フィルタの変動を枠体が抑えることから、空気清浄運転中に第１フィルタが空気流によって浮き上がる現象などを抑制することができる。
【００１３】
本発明の第２観点に係る空気清浄機は、第１観点に係る空気清浄機において、または、第４観点に係る空気清浄機は、第２フィルタは、第１フィルタに対して、下から上に流れる空気流れの下流に位置する、ものである。
【００１４】
第２観点または第４観点に係る空気清浄機によれば、下から上に流れる空気流れの上流に第１フィルタが位置して下流に第２フィルタが位置することから、第１フィルタを下から支持して上から枠体で第１フィルタを押さえることで第１フィルタを固定できる。
【００１５】
本発明の第３観点に係る空気清浄機は、第２観点に係る空気清浄機において、または、第４観点に係る空気清浄機は、枠体は、第２フィルタの周囲を囲み、ガイド構造によって導かれることにより第２フィルタを導き、第２据付位置に第２フィルタが取り付けられた状態で第１フィルタの周囲のガイド構造に沿う部分を押さえるように構成されている、ものである。
【００１６】
第３観点または第４観点に係る空気清浄機によれば、第２据付位置に第２フィルタが取り付けられた状態で枠体が第１フィルタの周囲のガイド構造に沿う部分を押さえるように構成されていることから、第２フィルタがガイド構造に導かれているときに枠体が第１フィルタの周囲以外の部分と擦れるのを防止することができる。
【００１７】
また、本発明の第１観点に係る空気清浄機は、第２フィルタが第２据付位置に取り付けられたときに枠体に押し上げられて空気清浄運転の可能な状態に切り替え、第２フィルタが第２据付位置から取り外されたときに下がって空気清浄運転のできない電気的に安全な状態に切り替えるスイッチシステムをさらに備える、ものである。
【００１８】
第１観点に係る空気清浄機によれば、第２フィルタを取り付ける際に、第１面と第２面の距離が変わるにもかかわらず、第２フィルタが取り付けられたときに枠体に確実に押し上げられて空気清浄運転の可能な状態に切り替え、第２フィルタが取り外されたときに確実に下がって空気清浄運転のできない電気的に安全な状態に切り替えるスイッチシステムを用いることから、簡単な構造で安全性を向上させるシステムを実現できる。
【発明の効果】
【００１９】
本発明の第１観点または第４観点に係る空気清浄機では、互いに接近して且つ互いに対向して配置される第１フィルタと第２フィルタとが取り付けられるときに擦れるのを防止することができる。
【００２０】
本発明の第１観点または第４観点に係る空気清浄機では、ガイド構造を設けることによるコストの上昇を抑制することができる。
【００２１】
本発明の第１観点または第４観点に係る空気清浄機では、第１フィルタの変動により発生する騒音を減らすことができる。
【００２２】
本発明の第２観点または第４観点に係る空気清浄機では、第１フィルタの固定機構が簡素化されて第１フィルタの固定が容易になり、第１フィルタの取り付け取り外しが簡単になる。
【００２３】
本発明の第３観点または第４観点に係る空気清浄機では、枠体で第２フィルタを確実に支持しながら第１フィルタの損傷を抑制することができる。
【００２４】
本発明の第１観点に係る空気清浄機では、安全性を確実且つ安価に向上させることができる。
【図面の簡単な説明】
【００２５】
【図１】実施形態に係る空気清浄機の外観を示す斜視図。
【図２】実施形態に係る空気清浄機の側面図。
【図３】図１の空気清浄機の上部をＹＺ平面で切断した場合の断面構造を示す一部破断拡大斜視図。
【図４】図１の空気清浄機の上部をＹＺ平面で切断した場合の拡大断面図。
【図５】シロッコファンと下部フレームとＨＥＰＡフィルタの周辺の構造を説明するための模式的な斜視図。
【図６】樹脂ケース組立体の斜視図。
【図７】樹脂ケース組立体を空気清浄機の前面側から見た場合の側面図。
【図８】樹脂ケースの平面図。
【図９】図８のＩ-Ｉ線に沿って切断した樹脂ケースの断面図。
【図１０】樹脂ケース組立体への脱臭フィルタの取付方法を説明するための断面図。
【図１１】樹脂ケース組立体の分解斜視図。
【図１２】樹脂ケース組立体の部分拡大斜視図。
【図１３】樹脂ケース組立体が抜き取られた空気清浄機の上部の斜視図。
【図１４】樹脂ケース組立体が抜き取られた空気清浄機の上部の斜視図。
【図１５】図１３の空気清浄機の上部をＹＺ平面で切断した場合の拡大断面図。
【図１６】上部フレームの分解斜視図。
【図１７】イオナイザーが取り外された上部フレームの断面図。
【図１８】下部フレームを説明するための斜視図。
【図１９】図１８のＩＩ-ＩＩ線に沿って切断した下部フレームの断面図。
【図２０】下部フレームへのスイッチシステムの組付けを示す分解斜視図。
【図２１】スイッチシステムが取り付けられた下部フレームの部分拡大斜視図。
【図２２】レバーの断面図。
【図２３】レバーの部分拡大背面図。
【発明を実施するための形態】
【００２６】
（１）全体構成
以下、本発明の実施形態に係る空気清浄機について図を用いて説明する。図１などの以下に説明する図においては、前後方向がＸ軸方向、左右方向がＹ軸方向、上下方向がＺ軸方向に一致するように描かれている。
【００２７】
図１には、前方左斜めから見た空気清浄機１０の外観が示されている。図２には、側面から見た空気清浄機１０の外観が示されている。空気清浄機１０は前面パネル１１、側面パネル１２、天面パネル１３、背面パネル１４、吸込グリル１５及び吹出グリル１６を備えている。吸込口２１は、格子を並べた吸込グリル１５によって通気可能に覆われている。側面パネル１２には、吸込グリル１５、樹脂ケース組立体４０及び上部フレーム６０が嵌め込まれている。吹出グリル１６は、天面パネル１３に取り付けられている。吹出口２２は、格子を並べた吹出グリル１６によって通気可能に覆われている。吹出口２２から吹き出される気流は、矢印Ａｒに示されているように、空気清浄機１０の真上の方向（Ｚ軸方向）に向って流れる。
【００２８】
図３には、ＹＺ平面で切断した空気清浄機１０の上部を斜め上方から見た状態が示されている。図４には、ＹＺ平面で切断した空気清浄機１０の上部の断面構造が示されている。また、図５には、空気清浄機の底部に配置されているシロッコファン９０及びその上方に配置されている下部フレーム７０及びＨＥＰＡフィルタ２５が示されている。
【００２９】
空気清浄機１０は、ＨＥＰＡフィルタ２５と脱臭フィルタ２６とシロッコファン９０とを備えている。図３、図４及び図５に示されているＨＥＰＡフィルタ２５の位置が第１据付位置Ｐ１であり、図３及び図４に示されている脱臭フィルタ２６の位置が第２据付位置Ｐ２である。シロッコファン９０から吹き出される空気流れ方向がＺ軸方向に沿っているので、ＨＥＰＡフィルタ２５が有する上面２５ａは、第１据付位置Ｐ１に設置された状態において空気流れ方向と交差する。そして、脱臭フィルタ２６は、第１据付位置Ｐ１に対して空気流れ方向に並ぶ第２据付位置Ｐ２に取り付けられてＨＥＰＡフィルタ２５の近傍に配置されている。この脱臭フィルタ２６は、ＨＥＰＡフィルタ２５の上面２５ａに対向する下面２６ｂを有している。
【００３０】
（２）詳細構成
（２−１）樹脂ケース組立体
図６には、樹脂ケース組立体４０を、空気清浄機１０の前面側の斜め上方から見た状態が示されている。図７には、樹脂ケース組立体４０を前面側から見た状態が示されている。樹脂ケース組立体４０は、樹脂ケース４１と、カバー４２と、スイッチ４３とを有している。
【００３１】
図８には、樹脂ケース４１を上方から見た状態が示されている。図９には、樹脂ケース４１を図８のＩ−Ｉ線に沿って切断したときの断面構造が示されている。樹脂ケース４１は、上方から見て四角い枠体４１１と、枠体４１１に囲まれた空間の一部を覆う保護部４１２とを有している。脱臭フィルタ２６は、上方から見て矩形の形状を呈する。枠体４１１は、この矩形状の脱臭フィルタ２６の周囲を覆い、脱臭フィルタ２６を支持する。図１０には、樹脂ケース組立体４０に脱臭フィルタ２６が嵌め込まれる方法が示されている。脱臭フィルタ２６は、固定溝４１３に嵌め込まれ、爪４１４に引っ掛けて固定される。カバー４２の近くに配置された爪４１４にはバネ性を有しており、爪４１４によって固定溝４１３の方に脱臭フィルタ２６が圧されているため脱臭フィルタ２６は動かないように固定される。
【００３２】
図１１には、樹脂ケース組立体４０を分解して斜め上方から見た状態が示されている。図１２には、樹脂ケース組立体４０のスイッチ４３の周辺が拡大して示されている。カバー４２は、樹脂ケース組立体４０が空気清浄機１０に取り付けられた状態で、側面パネル１２と面一になるように樹脂ケース４１に固定される。スイッチ４３は、Ｘ軸方向に配置された支持穴４２１を支点として回動可能に支持されている。スイッチ４３は、バネ４３１によって付勢されており、その付勢力によって支持穴４２１よりも下の部分がカバー４２の方に迫り出して上辺４３２が突出するようになっている。この上辺４３２が上部フレーム６０の側面部６１の下辺６１１（図１７参照）に引っ掛かることで、樹脂ケース組立体４０が空気清浄機１０に固定される。スイッチ４３を外から押すと、スイッチ４３の支持穴４２１よりも下の部分がカバー４２から離れるようにスイッチ４３が回転して、下辺６１１へのスイッチ４３の引っ掛かりが解放される。スイッチ４３の下辺６１１への引っ掛かりが無くなることで、樹脂ケース組立体４０を空気清浄機１０の外に引き出すことができるようになる。
【００３３】
樹脂ケース組立体４０の樹脂ケース４１には、Ｙ軸方向に長く延びるリブ４５が形成されている。樹脂ケース組立体４０が引き出されたり、取り付けられたりする際には、リブ４５が後述するガイド溝１０１（図１３及び図１４参照）の中を滑る。
【００３４】
（２−２）上部フレーム及び下部フレーム
図１３には、樹脂ケース組立体４０を取り外した空気清浄機１０の上部を左後方から見た状態が示されている。図１４には、樹脂ケース組立体４０を取り外した空気清浄機１０の上部を左前方から見た状態が示されている。図１５には、樹脂ケース組立体４０を取り外した空気清浄機１０をＹＺ平面で切断したときの断面構造が示されている。
【００３５】
前面パネル１１、側面パネル１２、天面パネル１３、背面パネル１４、吸込グリル１５及び吹出グリル１６などに囲まれた空気清浄機１０の内部には、上部フレーム６０と下部フレーム７０が取り付けられている。ただし、上部フレーム６０の一部は、側面に露出している。
【００３６】
図１６には、イオナイザー６９を取り付けている上部フレーム６０を前方右斜め上から見た状態が示されている。図１７には、イオナイザー６９を取り外した上部フレーム６０の断面形状が示されている。図１８には、下部フレーム７０を、前左斜め上方から見た状態が示されている。図１９には、図１８のＩＩ-ＩＩ線に沿って切断した下部フレーム７０の断面形状が示されている。
【００３７】
下部フレーム７０には、底面７６に、シロッコファン９０から送風されてくる空気が通過する開口部７６ａが設けられている。この開口部７６ａから上方に離れて段差７７が形成されている。空気清浄機１０がＸＹ平面に平行な床におかれている場合、この段差７７は、ＸＹ平面に平行に環状に形成されており、ＨＥＰＡフィルタ２５を支えられる上面を持っている。ＨＥＰＡフィルタ２５は、段差７７の上面に載置された状態で、樹脂ケース組立体４０の枠体４１１から下に突出した枠体下リブ４１５により押さえられる。
【００３８】
上部フレーム６０と下部フレーム７０とによってガイド溝１０１が形成されている。ガイド溝１０１を１つの成形体の中に造り込むこともできる。しかし、上部フレーム６０と下部フレーム７０の二つの部材によってガイド溝１０１を形成する方が製造やメンテナンスが容易になり小型化し易くなる。
【００３９】
上部フレーム６０の側方突出リブ６２の下面が下部フレーム７０の上方突出リブ７１の上面に接触する。上部フレーム６０の側方突出リブ６２から下方に突出する下方突出片６３が上方突出リブ７１の外側に嵌り込む。そして、上方突出リブ７１の内側の凹部（図示せず）に凸部７２が嵌り込んで上部フレーム６０と下部フレーム７０とを固定する。また、上方突出リブ７１の外側から上に突出している上方突出片７３が側方突出リブ６２の外側に当たる。そして、上方突出片７３の凹部７４に、側方突出リブ６２からさらに外側に突出して凸部６４が嵌りこんで上部フレーム６０と下部フレーム７０とを固定する。このように上部フレーム６０と下部フレーム７０が固定されると、下部フレーム７０の側部上面７５を滑面とするガイド溝１０１が形成される。この滑面である側部上面７５の上を樹脂ケース組立体４０のリブ４５が滑る。
【００４０】
（２−３）レバー
図２０には、下部フレーム７０にレバー８０などが取り付けられている状態が示されている。図２１には、下部フレーム７０にＨＥＰＡフィルタ２５及びレバー８０が取り付けられた状態が示されている。図２２には、レバー８０をＹＺ平面で切断したときの断面が示されている。図２３には、レバー８０の一部が拡大して示されている。
【００４１】
レバー８０は、座金一体タッピングネジ８１によって上下方向（Ｚ軸方向）に移動できるように、下部フレーム７０に取り付けられている。下部フレーム７０に取り付けられた状態で、レバー８０は、バネ８２によって下方に付勢されている。レバー８０の横に並べて、リミットスイッチ８３がネジ８４により下部フレーム７０に取り付けられている。リミットスイッチ８３には、ヒンジ部８３ａが設けられており、このヒンジ部８３ａがレバー８０によって押されることで空気清浄機１０が空気清浄運転のできる状態になる。逆に、レバー８０がヒンジ部８３ａを押す距離が短くなると、リミットスイッチ８３がオフして、空気清浄機１０の状態が空気清浄運転のできない電気的に安全な状態に切り換わる。リミットスイッチ８３のオンとオフの切換えの信号は、ハーネス８５を通じて空気清浄機１０のコントローラ（図示せず）に送信される。
【００４２】
また、このレバー８０の動作を補助するために、ガイド板１１０が下部フレーム７０に取り付けられている。このガイド板１１０の上面を樹脂ケース４１が滑るように構成されている。このガイド板１１０から樹脂ケース４１の上端までの距離が一定であるので、レバー８０の動作の確実性が確保される。
【００４３】
（２−４）ガイド構造
既に説明したガイド溝１０１と樹脂ケース組立体４０のリブ４５がガイド構造を構成している。ガイド構造は、脱臭フィルタ２６を取り付ける際に、ＨＥＰＡフィルタ２５の上面２５ａと脱臭フィルタ２６の下面２６ｂとが実質的に平行になるように支持しつつ下面２６ｂに対して傾斜した経路に沿って第２据付位置Ｐ２に脱臭フィルタ２６を移動させる。ここで実質的に平行とは、製造誤差などによって実際には平行からずれを生じざるを得ないので、製造誤差程度には平行からずれる範囲を含む意味で実質的と記載している。
【００４４】
ＨＥＰＡフィルタ２５は、第１据付位置Ｐ１に在る場合、ＸＹ平面に平行な段差７７に下面２５ｂが載置される。このＨＥＰＡフィルタ２５は、上面２５ａと下面２５ｂが実質的に平行になるように形成されている。従って、下部フレーム７０に載置されて第１据付位置Ｐ１に在るＨＥＰＡフィルタ２５の上面２５ａは、ＸＹ平面に対して実質的に平行になっている。
【００４５】
また、脱臭フィルタ２６も、樹脂ケース組立体４０に取り付けられて第２据付位置Ｐ２に在る場合、ＸＹ平面に対して実質的に平行になっている。この点について説明すると、まず、ガイド溝１０１は、図１９に示されているように、後から前に向って高くなっており、そのガイド溝１０１の側部上面７５がＹ軸となす角がθ１度である。また、脱臭フィルタ２６が樹脂ケース４１に取り付けられて脱臭フィルタ２６の下面２６ｂがＸＹ平面に対して平行に樹脂ケース４１で支持されている場合、図７に示されているように、樹脂ケース４１のリブ４５がＹ軸となす角もθ１度である。つまり、Ｙ軸方向において、脱臭フィルタ２６の下面２６ｂとリブ４５のなす角がθ１度となっている。
【００４６】
従って、ガイド溝１０１に樹脂ケース４１のリブ４５が嵌め込まれた状態では、ガイド溝１０１の傾きとリブ４５の傾きが相殺される。その結果、樹脂ケース４１が後に向って移動しても脱臭フィルタ２６の下面２６ｂがＸＹ平面に対して平行な状態つまりＨＥＰＡフィルタ２５の上面２５ａに対して平行な状態を維持でき、樹脂ケース４１が後に向って移動するに従って脱臭フィルタ２６の下面２６ｂとＨＥＰＡフィルタ２５の上面２５ａとの距離が次第に短くなっていく。
【００４７】
（２−５）スイッチシステム１２０
図２０に示したスイッチシステム１２０には、レバー８０と座金一体タッピングネジ８１とバネ８２とリミットスイッチ８３とガイド板１１０が含まれている。すなわち、脱臭フィルタ２６が第２据付位置Ｐ２に取り付けられたときに、脱臭フィルタ２６を支持する枠体４１１にレバー８０が押し上げられてリミットスイッチ８３が空気清浄運転の可能な状態に切り替わり、脱臭フィルタ２６が第２据付位置Ｐ２から取り外されたときにレバー８０が下がることによってリミットスイッチ８３が切り替わって空気清浄運転のできない電気的に安全な状態になる。
【００４８】
特に、スイッチシステムの検知精度に関連するレバー８０は、図２２に示されているように断面形状がΓ型になっている。つまり、レバー８０は、座金一体タッピングネジ８１によって摺動可能に下部フレーム７０に取り付けられてＺ軸方向に延びる基部８０ａと、Ｙ軸方向に延びる頭部８０ｂとを有している。頭部８０ｂは、基部８０ａから離れるほど上方に曲がっている下面８０ｂａを持っており、第２据付位置Ｐ２に近づくほど下に移動する樹脂ケース４１の枠体４１１を確実に捕捉することができる。また、脱臭フィルタ２６が第２据付位置Ｐ２に取り付けられた場合に、レバー８０が十分上方に持ち上がられるように、ガイド板１１０が枠体４１１の下方を支持する。さらに、リミットスイッチ８３のオンオフ動作を確実に行わせるために、リミットスイッチ８３のヒンジ部８３ａが接触するレバー８０の側部８０ａｂがくびれている（図２３参照）。側部８０ａｂのくびれ８６は、急激に曲がった箇所８６ａとそれに対して緩やかに曲がった箇所８６ｂを持っている。急激に曲がった箇所８６ａはレバー８０の短い上下動を検知しやすく機能を有しており、緩やかに曲がった箇所８６ｂは、ヒンジ部８３ａの移動を継続させてスイッチ動作の確実性を向上させる機能を有している。
【００４９】
また、樹脂ケース組立体４０のスイッチ４３もスイッチシステム１２０に含まれるとみなすこともできる。樹脂ケース組立体４０が確実に押し込まれたときにスイッチ４３が樹脂ケース組立体４０の移動を規制して保持するので、脱臭フィルタ２６が第２据付位置Ｐ２を確実に維持するのに役立っている。
【００５０】
（３）変形例
（３−１）変形例１Ａ
上記実施形態では、樹脂ケース組立体４０に凸部であるリブ４５を設け、空気清浄機１０の内部にガイド溝１０１を設ける場合について説明したが、樹脂ケース組立体４０にガイド溝を設け、空気清浄機の内部にリブなどの凸部を設けてもよい。
【００５１】
（３−２）変形例１Ｂ
上記実施形態では、ガイド構造の凸部としてリブ４５を設ける場合について説明したが、凸部はリブ以外のものであってもよく、例えば棒状の突起、車輪、及びネジの頭などの溝に嵌る物であれば他の形態であってもよい。
【００５２】
（３−３）変形例１Ｃ
上記実施形態では、ガイド構造の凸部を案内する構造としてガイド溝１０１を例示したが、凸部を案内する構造はガイド溝以外の構造であってもよく、例えばレール、突起群及びリブであってもよい。
【００５３】
（３−４）変形例１Ｄ
上記実施形態では、ガイド溝１０１が直線であって案内する経路が直線である場合について説明したが、案内する経路は曲線であってもよい。
【００５４】
（３−５）変形例１Ｅ
上記実施形態では、脱臭フィルタ２６を取り付ける際に、樹脂ケース組立体４０を差し込んでから取り付け終わるまで上面２５ａと下面２６ｂが実質的に平行である状態を最初から最後まで保っているが、このように最初から最後まで平行状態を保つ必要はなく、途中までは平行でない状態になってもよい。
【００５５】
（４）特徴
（４−１）
図３及び図４に示された第２フィルタである脱臭フィルタ２６の下面２６ｂ（第２フィルタの第２面の例）と、第１据付位置Ｐ１に在る第１フィルタであるＨＥＰＡフィルタ２５の上面２５ａ（第１フィルタの第１面の例）が実質的に平行になるように、ガイド構造によって支持されている。このガイド構造は、ガイド溝１０１と樹脂ケース組立体４０のリブ４５を有して構成されている。
【００５６】
ＺＹ平面に実質的に平行な段差７７で支持され、ＨＥＰＡフィルタ２５の上面２５ａが下面２５ｂに実質的に平行であるので、ＨＥＰＡフィルタ２５の下面２５ｂはＸＹ平面に対して実質的に平行になる。他方、脱臭フィルタ２６の下面２６ｂは、Ｙ軸方向においてリブ４５に対してθ１度だけ傾いている。しかしながら、ガイド溝１０１もＹ軸に対してθ１度傾いているので、脱臭フィルタ２６の下面２６ｂもＸＹ平面に実質的に平行に支持される。従って、上面２５ａと下面２６ｂが実質的に平行になる。ガイド溝１０１もリブ４５もＹ軸に対してθ１度傾いていることから、Ｙ軸に沿う方向の延びるガイド溝１０１とリブ４５で脱臭フィルタ２６をＹ軸に沿って案内すると、下面２６ｂに対してθ１度傾斜した経路に沿って第２据付位置Ｐ２に脱臭フィルタ２６を移動させることができる。その結果、ＨＥＰＡフィルタ２５の上面２５ａと脱臭フィルタ２６の下面２６ｂとの空気流れ方向の距離が段々と近づくように脱臭フィルタ２６を取り付けることができるので、脱臭フィルタ２６が第２据付位置Ｐ２に到達する寸前まで互いに平行な上面２５ａと下面２６ｂとの間には互いに接触しないように隙間が形成され、互いに接近して且つ互いに対向して配置されるＨＥＰＡフィルタ２５と脱臭フィルタ２６とが取り付けられるときに擦れるのを防止することができる。また、ＨＥＰＡフィルタ２５または脱臭フィルタ２６に凹凸があって万一多少擦れたとしても、ＨＥＰＡフィルタ２５の上面２５ａと脱臭フィルタ２６の下面２６ｂとの空気流れ方向の距離が段々と近づくので損傷を抑えることができる。
【００５７】
（４−２）
上記実施形態では、ＨＥＰＡフィルタ２５の上面２５ａ及び脱臭フィルタ２６の下面２６ｂに対して傾斜しているガイド溝１０１を設けるという簡単な構造の変更でガイド構造を実現することができている。その結果、ガイド構造を設けることによるコストの上昇を抑制することができている。なお、ガイド溝１０１がＨＥＰＡフィルタ２５の上面２５ａ及び脱臭フィルタ２６の下面２６ｂに対して傾斜していればよいので、例えば、ガイド溝１０１をＹ軸に実質的に平行に設けて、上面２５ａと下面２６ｂをＹ軸に対して傾けるように構成してもよい。
【００５８】
（４−３）
上記実施形態では、凸部であるリブ４５をガイド構造が有し、リブ４５がガイド溝１０１に沿ってスライドしつつ第２据付位置Ｐ２に近づくことによって、上面２５ａと下面２６ｂとが実質的に平行になるように脱臭フィルタ２６を支持しつつ下面２６ｂに対して傾斜した経路に沿って第２据付位置Ｐ２に移動させるように構成されている。このように、リブ４５を設けるという簡単な構造の変更でガイド構造を実現できており、ガイド構造を設けることによるコストの上昇を抑制することができる。
【００５９】
（４−４）
上記実施形態では、脱臭フィルタ２６が第２据付位置Ｐ２に取り付けられた場合に、空気清浄運転中の空気流れによるＨＥＰＡフィルタ２５の変動を樹脂ケース４１の枠体４１１が抑えることから、空気清浄運転中にＨＥＰＡフィルタ２５が空気流によって浮き上がる現象などを抑制することができる。その結果、ＨＥＰＡフィルタ２５の変動により発生する騒音を減らすことができる。特に、枠体４１１がＨＥＰＡフィルタ２５の周囲を押さえるので、空気抵抗の増加を抑制することができている。
【００６０】
（４−５）
下から上に流れる空気流れの上流にＨＥＰＡフィルタ２５が位置して下流に脱臭フィルタ２６が位置することから、ＨＥＰＡフィルタ２５を段差７７で下から支持して上から枠体４１１でＨＥＰＡフィルタ２５を押さえることでＨＥＰＡフィルタ２５を固定できる。その結果、ＨＥＰＡフィルタ２５の固定機構が簡素化されてＨＥＰＡフィルタの固定が容易になり、ＨＥＰＡフィルタ２５の取り付け取り外しが簡単になる。具体的には、樹脂ケース組立体４０を引き出して、図１３乃至図１５に示されている状態にすると、樹脂ケース組立体４０が抜けたことでできた開口部からＨＥＰＡフィルタ２５を出し入れできる。
【００６１】
（４−６）
第２据付位置Ｐ２に脱臭フィルタ２６が取り付けられた状態で枠体４１１がＨＥＰＡフィルタ２５の周囲のガイド構造に沿う部分を枠体下リブ４１５で押さえるように構成されていることから、脱臭フィルタ２６がガイド構造に導かれているときに枠体４１１がＨＥＰＡフィルタ２５の周囲以外の部分と擦れるのを防止することができる。従って、上記実施形態では、枠体４１１で脱臭フィルタ２６を確実に支持しながらＨＥＰＡフィルタ２５の損傷を抑制することができている。
【００６２】
（４−７）
脱臭フィルタ２６を取り付ける際に、ＨＥＰＡフィルタ２５の上面２５ａと脱臭フィルタ２６の下面２６ｂの距離が変わるにもかかわらず、スイッチシステム１２０が、脱臭フィルタ２６が取り付けられたときに枠体４１１に押し上げられて空気清浄運転の可能な状態に切り替え、脱臭フィルタ２６が取り外されたときに下がって空気清浄運転のできない電気的に安全な状態に切り替えることができる。その結果、空気清浄機１０の安全性を向上させるシステムを簡単な構造で実現でき、空気清浄機１０の安全性を確実且つ安価に向上させることができる。
【符号の説明】
【００６３】
１０  空気清浄機
２５  ＨＥＰＡフィルタ  （第１フィルタの例）
２６  脱臭フィルタ  （第２フィルタの例）
４０  樹脂ケース組立体
４１  樹脂ケース
４５  リブ  （ガイド構造の例）
８０  レバー
８１  座金一体タッピングネジ
８２  バネ
８３  リミットスイッチ
１０１  ガイド溝  （ガイド構造の例）
１１０  ガイド板
１２０  スイッチシステム
４１１  枠体
【先行技術文献】
【特許文献】
【００６４】
【特許文献１】特許５８４２９６２号公報